(57)【要約】【課題】加飾部分が容器本体や蓋体から部分的にでも剥がれたり、また脱落したりすることがないという要請に応えることができ、かつまた購買者が好みに応じて外観を選ぶことができる自由度を高めることが可能な化粧料容器を提供する。【解決手段】容器本体とこれを開閉する蓋体６とを有する化粧料容器において、蓋体６にこれを覆って交換可能に装着される交換用カバー７と、蓋体６と交換用カバー７との間に設けられ、蓋体６に交換用カバー７をスライド自在に係合させる凹部１９と凸部２０からなるスライド係合部と、蓋体６と交換用カバー７との間に設けられ、当該蓋体６に交換用カバー７を保持させるために、これら両者を交換用カバー７のスライド方向に係脱自在に係止する係止突起２２からなる係止部とを備えた。【選択図】　　　　　図２
2004135947.tif 000002
【特許請求の範囲】
【請求項１】
容器本体とこれを開閉する蓋体とを有する化粧料容器において、
上記蓋体および上記容器本体の少なくともいずれか一方に、これらを覆って交換可能に装着される交換用カバーと、上記蓋体もしくは上記容器本体と上記交換用カバーとの間に設けられ、これら蓋体もしくは容器本体に該交換用カバーをスライド自在に係合させるスライド係合部と、上記蓋体もしくは上記容器本体と上記交換用カバーとの間に設けられ、当該蓋体もしくは容器本体に該交換用カバーを保持させるために、これら両者を該交換用カバーのスライド方向に係脱自在に係止する係止部とを備えたことを特徴とする化粧料容器。
【請求項２】
前記スライド係合部が、前記蓋体もしくは前記容器本体および前記交換用カバーのいずれか一方にスライド方向に沿って設けられた凹部と、いずれか他方に設けられて該凹部にスライド自在に挿入される凸部とを備え、前記係止部が、上記凹部内に弾性変形自在に設けられて上記凸部に係脱自在に係合する係止突起であることを特徴とする請求項１に記載の化粧料容器。
【請求項３】
前記凹部および前記凸部が、前記交換用カバーのスライド方向の適宜位置に設けられるとともに、上記凹部にはこれに上記凸部を挿抜自在に挿入するための切り欠き部が設けられていることを特徴とする請求項２に記載の化粧料容器。
【発明の詳細な説明】
【０００１】
【発明の属する技術分野】
本発明は、加飾部分が容器本体や蓋体から部分的にでも剥がれたり、また脱落したりすることがないという要請に応えることができ、かつまた購買者が好みに応じて外観を選ぶことができる自由度を高めることが可能な化粧料容器に関する。
【０００２】
【従来の技術】
一般に化粧料容器は、化粧料を収納する容器本体と、この容器本体を開いたり閉じたりする蓋体とを備えて構成されている。そして化粧料容器の外観をなすこれら容器本体や蓋体に対しては、そのデザイン性を高めるために、従来からさまざまな方法によって加飾が施されている。例えば、スパッタリングなどによって表面処理を行ったり、転写シートを用いて文字や模様などを転写したり、あるいは模様などを付した上に透明・半透明の層を重ねたりするなどして、容器本体や蓋体に装飾を施すようにしていた。
【０００３】
なお、本願出願人は、関連する先行出願として、特願２００１−２４９０００を出願している。
【０００４】
【発明が解決しようとする課題】
ところで、従来の化粧料容器にあっては、製品としての化粧料容器を高級感溢れる高い品質で提供するという目的で、加飾部分が容器本体や蓋体から部分的にでも剥がれたり、また脱落したりすることがないように、上記いずれの加飾方法にあっても、容器本体や蓋体に対し加飾部分が一体不可分となるように互いに分離不能に一体的に形成しなければならないという要請があった。
【０００５】
このような要請は反面、化粧料容器の外観が生産者の選定したデザインに限定されることを意味し、購買者が化粧料容器の意匠的外観を、好みに応じて自由に選べるようにすることを妨げていた。このため、購買者は気に入ったデザインの化粧料容器を見つけることができず、これが買い控えの一因になっていたと考えられる。
【０００６】
本発明は上記従来の課題に鑑みて創案されたものであって、加飾部分が容器本体や蓋体から部分的にでも剥がれたり、また脱落したりすることがないという要請に応えることができ、かつまた購買者が好みに応じて外観を選ぶことができる自由度を高めることが可能な化粧料容器を提供することを目的とする。
【０００７】
【課題を解決するための手段】
本発明にかかる化粧料容器は、容器本体とこれを開閉する蓋体とを有する化粧料容器において、上記蓋体および上記容器本体の少なくともいずれか一方に、これらを覆って交換可能に装着される交換用カバーと、上記蓋体もしくは上記容器本体と上記交換用カバーとの間に設けられ、これら蓋体もしくは容器本体に該交換用カバーをスライド自在に係合させるスライド係合部と、上記蓋体もしくは上記容器本体と上記交換用カバーとの間に設けられ、当該蓋体もしくは容器本体に該交換用カバーを保持させるために、これら両者を該交換用カバーのスライド方向に係脱自在に係止する係止部とを備えたことを特徴とする。これにより、加飾部分が容器本体や蓋体から部分的にでも剥がれたり、また脱落したりすることがないという要請に応えることができ、かつまた購買者が好みに応じて外観を選ぶことができる自由度を高めることが可能となる。
【０００８】
また、前記スライド係合部が、前記蓋体もしくは前記容器本体および前記交換用カバーのいずれか一方にスライド方向に沿って設けられた凹部と、いずれか他方に設けられて該凹部にスライド自在に挿入される凸部とを備え、前記係止部が、上記凹部内に弾性変形自在に設けられて上記凸部に係脱自在に係合する係止突起であることを特徴とする。凹部と凸部によって、蓋体もしくは容器本体と交換用カバーのスライド操作を案内することが可能で、安定した操作性を確保し得るとともに、係止突起の弾性変形によって、凸部の係脱操作の容易化を図り得る。
【０００９】
さらに、前記凹部および前記凸部が、前記交換用カバーのスライド方向の適宜位置に設けられるとともに、上記凹部にはこれに上記凸部を挿抜自在に挿入するための切り欠き部が設けられていることを特徴とする。スライド操作を案内する凹部内への凸部の挿入をスライド方向の適宜位置で行うことが可能となり、スライド操作量を短くできて、交換用カバーの脱着操作の簡便化を図り得る。
【００１０】
【発明の実施の形態】
以下に、本発明にかかる化粧料容器の好適な一実施形態を、添付図面を参照して詳細に説明する。本実施形態にかかる化粧料容器１は図１〜図３に示すように、収納凹部２が形成された皿状の合成樹脂製容器本体３と、容器本体３の前後長さ方向後端にヒンジ４を介して上下方向へ回動自在に連結されて容器本体３を開閉するとともに、容器本体３の前端にフック５を介して係脱自在に係合されて当該容器本体３の閉止状態を維持する板体状の合成樹脂製の蓋体６と、蓋体６および容器本体３の少なくともいずれか一方、図示例にあっては蓋体６に着脱自在に装着され、交換可能に蓋体６を覆う板体状の合成樹脂製の交換用カバー７とから主に構成される。
【００１１】
交換用カバー７の材質は合成樹脂製に限らず、金属製であってもよい。また、交換用カバー７は容器本体３を覆って設けられてもよく、また蓋体６および容器本体３の双方に設けられてもよい。図示例にあっては、これら容器本体３、蓋体６、並びに交換用カバー７は平面外形輪郭が矩形状に形成されているけれども、多角形状や円形状であってもよい。蓋体６の裏面には、鏡８が取り付けられている。
【００１２】
フック５は、容器本体３の前端に形成された凹所９内に突設されたフック用突起１０と、蓋体６の前端から垂下されてフック用突起１０に係脱自在に係合されるフック片１１とから構成される。またヒンジ４は、容器本体３の後端から一対突設されたヒンジ片１２間に、蓋体６の後端から垂下させたヒンジブロック１３が挟み込まれ、これらヒンジブロック１３からヒンジ片１２にわたって、容器本体３の左右幅方向にヒンジピン１４が挿入されることで構成される。
【００１３】
交換用カバー７は、化粧料容器１、本実施形態にあっては蓋体６の意匠的外観を購買者が好みに応じて自由に選べるように、各種のさまざまな加飾が施されたものが用意されるようになっている。これら交換用カバー７に施される加飾部分は、部分的にでも剥がれたり、また脱落したりすることがないように、交換用カバー７に対し、一般周知の方法によって一体不可分に分離不能に一体的に形成される。交換用カバー７は、蓋体６の上にこれを覆って重ね合わせて装着される。図示例に従って説明すると、交換用カバー７は、後端を除いて、その周縁から蓋体６に向かって垂下させて垂下部１５が形成されている。
【００１４】
他方、相当の厚さで板状に形成された蓋体６には、後端を除いて、その外周壁６ａ下端から水平方向外方へ突出させて、交換用カバー７の垂下部１５が載置される鍔部１６が形成される。また蓋体６の後端には、蓋体６の幅方向へ左右の鍔部１６間にわたって、蓋体６の上面６ｂから上方へ突出する立て壁部１７が形成され、この立て壁部１７には交換用カバー７の後端が当接されるようになっている。同様にして、蓋体６前端の外周壁６ａには、交換用カバー７前端の垂下部１５が当接されるようになっている。
【００１５】
このように構成された蓋体６と交換用カバー７との間には、蓋体６に交換用カバー７をスライド自在に係合させるスライド係合部が設けられる。スライド係合部は、蓋体６の幅方向左右の外周壁６ａに、鍔部１６とその直上に突出される庇部１８との間に挟み込むようにして、スライド方向である蓋体６の前後方向に沿って適宜長さで設けられた凹部１９と、交換用カバー７の幅方向左右の垂下部１５下端に内側に向けて凹部１９よりも短い長さで設けられ、凹部１９にスライド自在に挿入される凸部２０とから構成される。
【００１６】
本実施形態にあっては、これら凹部１９および凸部２０は蓋体６および交換用カバー７に対して、当該交換用カバー７のスライド方向の適宜位置に設けられる。図示例にあってはこれら凹部１９および凸部２０は、左右の各外周壁６ａおよび各垂下部１５の前端側および後端側に、互いに相当の距離を隔てて２箇所形成されているけれども、１箇所でも３箇所以上であっても良い。また、これら凹部１９と凸部２０とは、凸部２０が凹部１９から上下方向には抜脱不能に、角付けされた出隅と入隅の関係をもって上下方向に係合される。また、各凹部１９には、当該凹部１９に凸部２０を挿抜自在に挿入するために、その前端側と蓋体上面６ｂとを連通させる切り欠き部２１が形成され、これにより凹部１９は、切り欠き部２１と一連にＬ字状の凹陥部として形成される。従って、凸部２０は切り欠き部２１を介して凹部１９内に挿入され、さらに庇部１８と鍔部１６との間で凹部１９内を蓋体６の前後方向にスライドされるようになっている。
【００１７】
さらに、蓋体６と交換用カバー７との間には、蓋体６に交換用カバー７を保持させるために、これら両者を交換用カバー７のスライド方向に係脱自在に係止する係止部が設けられる。本実施形態にあってはこの係止部は、凹部１９内に弾性変形自在に設けられ、スライドしてくる凸部２０を係脱自在に係止する係止突起２２から構成される。係止突起２２は、庇部１８に切り欠き部２１から蓋体６の後端側に向かって相当の長さでスリット２３を形成することによって、上下方向に弾性変形可能に形成されたカンチレバー状の弾性片２４と、この弾性片２４の先端に下向きに形成された突起２５とから構成される。
【００１８】
凹部１９内に挿入された凸部２０は、突起２５を介して弾性片２４を押し上げることで、当該突起２５をスライド方向に乗り越えて係止されたり、離脱されるようになっている。図示例にあっては、係止突起２２は、蓋体６の前端側の凹部１９に設けられているけれども、後端側の凹部１９に設けたり、また蓋体６の左右で前端側と後端側とに別々に設けてもよく、さらにはすべての凹部１９に設けてもよい。
【００１９】
本実施形態にかかる化粧料容器１の作用について説明すると、化粧料容器１を購入した購買者が蓋体６に装着されている交換用カバー７を、他のデザインの新たな交換用カバー７に交換する際には、交換用カバー７を前方に向かってスライドさせる。交換用カバー７をスライドさせると、凸部２０は係止突起２２から離脱されて凹部１９の前端に達するので、この状態で交換用カバー７を蓋体６から引き離せば、凸部２０が切り欠き部２１を介して凹部１９から抜け出すことになり、これにより交換用カバー７を蓋体６から取り外すことができる。
【００２０】
次いで、新たな交換用カバー７を蓋体６に装着する際には、凸部２０を切り欠き部２１に合わせた状態で交換用カバー７を蓋体６に重ね合わせることにより、凸部２０を凹部１９内に挿入し、その後交換用カバー７を後方に向かってスライドさせる。交換用カバー７をスライドさせると、凸部２０は凹部１９内をスライドして係止突起２２を乗り越えて係止されることになり、これによって交換用カバー７の垂下部１５が蓋体６の鍔部１６上に載置された状態で、交換用カバー７の後端および垂下部１５の前端が蓋体６の立て壁部１７および外周壁６ａ前端に当接され、これにより交換用カバー７を蓋体６に重ね合わせて装着することができる。
【００２１】
以上説明したように本実施形態にかかる化粧料容器１にあっては、蓋体６にこれを覆って交換可能に装着される交換用カバー７と、蓋体６と交換用カバー７との間に設けられ、蓋体６に交換用カバー７をスライド自在に係合させる、凹部１９と凸部２０とからなるスライド係合部と、蓋体６と交換用カバー７との間に設けられ、当該蓋体６に交換用カバー７を保持させるために、これら両者を交換用カバー７のスライド方向に係脱自在に係止する、係止突起２２からなる係止部とを備えたので、交換用カバー７を交換することができ、化粧料容器１の外観が生産者の選定したデザインに限定されることがなく、化粧料容器１として、購買者が好みに応じて外観を自由度高く選ぶことができて、これにより購買意欲を高め得るものとすることができる。
【００２２】
また交換用カバー７としては、従来の蓋体などと同様に、加飾部分を一体不可分に互いに分離不能に一体的に形成すればよく、従って加飾部分が交換用カバー７から部分的にでも剥がれたり、また脱落したりすることがなくて、製品としての化粧料容器１を、従来と遜色のない高級感溢れる高い品質で提供することができる。
【００２３】
また主として、凹部１９と凸部２０とからなるスライド係合部のスライド操作のみで簡単に交換用カバー７の脱着操作を行うことができる。さらに、スライド係合部を、蓋体６にスライド方向に沿って設けられた凹部１９と、交換用カバー７に設けられて凹部１９にスライド自在に挿入される凸部２０とを備えて構成し、また係止部を、凹部１９内に弾性変形自在に設けられて凸部２０に係脱自在に係合する弾性片２４と突起２５からなる係止突起２２から構成したので、凹部１９と凸部２０によって、蓋体６と交換用カバー７のスライド操作を案内することができて、安定した操作性を確保することができるとともに、係止突起２２の弾性変形によって、凸部２０の係脱操作も容易化することができる。
【００２４】
また、凹部１９および凸部２０を、交換用カバー７のスライド方向の適宜位置に設けるとともに、凹部１９にはこれに凸部２０を挿抜自在に挿入するための切り欠き部２１を設けたので、スライド操作を案内する凹部１９内への凸部２０の挿入をスライド方向の適宜位置で行うことが可能となり、スライド操作量を短く設定することができて、交換用カバー７の脱着操作の簡便化を図ることができる。
【００２５】
ところで、容器本体３、蓋体６、並びに交換用カバー７の平面外形輪郭を多角形状や円形状とした場合には、例えば蓋体６の上面６ｂにスライド凹溝を形成するとともに、交換用カバー７から垂下させてスライド凸条を形成するなどしてスライド係合部を構成し、この凹溝や凸条に係止部を組み込むようにすればよい。
【００２６】
上述した本実施形態にあっては、蓋体６に交換可能にこれを覆う交換用カバー７を着脱自在に設ける場合を例にとって説明したが、容器本体３に交換用カバー７を設ける場合には、容器本体３と交換用カバー７との間にスライド係合部や係止部を設けるようにし、この際、凹部１９や係止突起２２、切り欠き部２１は、容器本体３もしくは交換用カバー７のいずれか一方に設ける一方で、凸部２０は他方に設けるようにする。
【００２７】
さらに、本実施形態にあっては、ヒンジ４やフック５を備えた化粧料容器１を例示して説明したが、これに限らず、容器本体３に対してネジ構造や径嵌合構造によって蓋体６を着脱するタイプの各種容器に適用してもよいことはもちろんである。
【００２８】
【発明の効果】
以上要するに、本発明にかかる化粧料容器にあっては、加飾部分が容器本体や蓋体から部分的にでも剥がれたり、また脱落したりすることがないという要請に応えることができ、かつまた購買者が好みに応じて外観を選ぶことができる自由度を高めることができる。
【図面の簡単な説明】
【図１】本発明にかかる化粧料容器の好適な一実施形態を示す側断面図である。
【図２】図１の化粧料容器の蓋体の一部破断分解斜視図である。
【図３】図１の化粧料容器の一部正面断面図である。
【符号の説明】
１　化粧料容器　　　　　　　　　　　３　容器本体
６　蓋体　　　　　　　　　　　　　　７　交換用カバー
１９　凹部　　　　　　　　　　　　　２０　凸部
２１　切り欠き部　　　　　　　　　　２２　係止突起
【図１】
2004135947.tif 000003
【図２】
2004135947.tif 000004
【図３】
2004135947.tif 000005